(57)【要約】【課題】電極端子の電気的な接続と機械的な固定の信頼性が高く、組立作業が比較的簡単である、電池の電極端子の固定機構およびそれを含む電池パックと、電極端子を固定する方法とを提供する。【解決手段】電池８の電極端子９の固定機構１が、下側当接部３と、下側当接部３に対向するように設けられた上側当接部４と、を有する。上側当接部４と下側当接部３の少なくとも一方には、電極端子９と電気的に接続される接続部４ａが設けられている。下側当接部３は弾性部材７によって支持されているか、または、下側当接部３の少なくとも上側当接部４に対向する表面３ａが弾性材料によって形成され、弾性部材７または弾性材料が弾性変形した状態で電極端子９を固定する。【選択図】図２
2018186097.tif 000002
【特許請求の範囲】
【請求項１】
電池の電極端子の固定機構であって、
下側当接部と、前記下側当接部に対向するように設けられた上側当接部と、を有し、
前記上側当接部と前記下側当接部の少なくとも一方には、前記電極端子と電気的に接続される接続部が設けられており、
前記下側当接部は弾性部材によって支持されているか、または、前記下側当接部の少なくとも前記上側当接部に対向する表面が弾性材料によって形成され、
前記弾性部材または前記弾性材料が弾性変形した状態で前記電極端子を固定する、固定機構。
【請求項２】
前記接続部は複数の分割片からなり、２つ以上の前記分割片が前記電極端子に接触して電気的に接続される、請求項１に記載の固定機構。
【請求項３】
正極と負極とがセパレータを介して重ね合わされて構成された電池要素、前記電池要素を収容する外装ケース、および、一端が前記正極または前記負極に接続され他端が前記外装ケースの外側に延出している前記電極端子を有する前記電池と、
請求項１または２に記載の固定機構と、
を有し、
前記電池の前記電極端子は、前記上側当接部と前記下側当接部とによって挟持されるとともに前記接続部に接触して電気的に接続されている、電池パック。
【請求項４】
下側当接部と、前記下側当接部に対向する上側当接部とによって、電池の電極端子を固定する方法であって、
前記下側当接部の前記上側当接部に対向する表面上に前記電極端子を配置するステップと、
前記上側当接部を前記電極端子に当接させ、前記電極端子を前記下側当接部に押しつけるステップと、
を含み、
前記下側当接部は、弾性部材によって姿勢変化可能に支持されているか、または、少なくとも前記上側当接部に対向する表面が弾性材料によって形成されており、
前記電極端子を前記下側当接部に押しつけるステップで、前記上側当接部と前記下側当接部の少なくとも一方に設けられた接続部に前記電極端子を電気的に接続させるとともに、前記弾性部材または前記弾性材料を弾性変形させて、前記下側当接部の、少なくとも前記上側当接部に対向する表面を、前記上側当接部から前記電極端子を介して加える押圧力に応じて姿勢変化させて、前記上側当接部と前記下側当接部とによって前記電極端子を挟持する、電池の電極端子を固定する方法。
【請求項５】
前記電極端子を前記下側当接部に押しつけるステップで、前記下側当接部の前記上側当接部に対向する表面を、前記上側当接部の前記下側当接部に対向する表面と平行にする、請求項４に記載の電池の電極端子を固定する方法。
【請求項６】
前記接続部は複数の分割片からなり、
前記電極端子を前記下側当接部に押しつけるステップで、２つ以上の前記分割片を前記電極端子に接触させて電気的に接続させる、請求項４または５に記載の電池の電極端子を固定する方法。
【請求項７】
前記電池は、正極と負極とがセパレータを介して重ね合わされた電池要素と、前記電池要素を収容する外装ケースと、一端が前記正極または前記負極に接続され他端が前記外装ケースの外側に延出している前記電極端子とを有し、
前記下側当接部は基板上に設けられており、
前記電極端子を配置するステップで、前記外装ケースを前記基板上に配置するとともに前記電極端子を前記下側当接部上に載置する、請求項４から６のいずれか１項に記載の電池の電極端子を固定する方法。
【請求項８】
前記電池の前記外装ケースを、可撓性フィルムによって前記電池要素を覆った状態で前記可撓性フィルム同士を部分的に重なり合わせ、重なり合わせた部分を互いに接合することによって形成し、前記電極端子を、前記可撓性フィルム同士の接合部から前記外装ケースの外側に延出させ、
前記上側当接部と前記下側当接部の少なくとも一方を、前記可撓性フィルムの前記接合部に当接させるとともに、前記外装ケース内の前記電池要素の側端部に前記可撓性フィルムを介して隣接させる、請求項７に記載の電池の電極端子を固定する方法。
【発明の詳細な説明】
【技術分野】
【０００１】
本発明は、電池の電極端子の固定機構および電池パックと、電極端子を固定する方法に関する。
【背景技術】
【０００２】
携帯電子機器や車両や家庭用の電源として用いられる二次電池は、通常、正極と負極とがセパレータを介して交互に繰り返し重なり合う構成の電池素子と、電池素子および電解液を収容する外装ケースとを含む。そして、正極と負極にそれぞれ接続された電極端子（正極端子および負極端子）が、外装ケースの外側に延出している。この電池は、電極端子が外部の接続部材に接続されて機能する。一例としては、図９に示すように、電池２０の電極端子２２をワニ口クリップ２１によって挟みつけ、電極端子２２に接する金属製のワニ口クリップ２１から配線ケーブル２３を介して外部回路等に電気的に接続する構成がある。
【０００３】
ワニ口クリップ２１を有する構成では、手動で個々のワニ口クリップ２１の開閉を行う必要があるため、作業時間が長く作業性が悪い。また、図９には詳細に示していないが、ワニ口クリップ２１は複数の歯部を有しており、電極端子２２の複数個所に各歯部が実質的に点接触して電極端子２２を把持するのが一般的であるため、把持の信頼性は低い。このようなワニ口クリップ２１によって電極端子２２を面接触で把持することはできず、電極端子２２を平行に保持することは困難である。さらに、電池２０に加わる何らかの外力や振動または長期間の使用によって、ワニ口クリップ２１による把持力がさらに低下して、電極端子２２との接触の信頼性がより低くなることがある。その場合、電気抵抗が増大して電池２０の性能が低下するおそれがあるとともに、ワニ口クリップ２１においてアーク放電が発生する危険性がある。そして、ワニ口クリップ２１は、電極端子２２を把持できるものの、電池２０全体を保持することはできず、電池素子の傾き等は防げない。むしろ、ワニ口クリップ２１による把持力が電池２０の一部分のみに作用することによって、電池素子の位置ずれや浮きを引き起こす可能性がある。仮にワニ口クリップ２１の把持力をより大きくすると、ワニ口クリップ２１に挟みつけられた電極端子２２に傷がつく可能性がある。また、ワニ口クリップ２１に接続された配線ケーブル２３の余剰長さの部分が他部材に引っかかるおそれがあるため、注意して適切に引き回さなければならず、取り扱いが面倒である。
特許文献１には、クリップ型接続端子を有する薄型二次電池用充放電装置が開示されている。このクリップ型接続端子でも、図９に示すワニ口クリップと同様な問題点がある。
【０００４】
クリップを有する構成の問題点を解決する構成として、特許文献２〜４には、細長い板状の上段挟持板および下段挟持板とばねとを有するコネクタが開示されている。このコネクタでは、押圧部材または手動によってばねの付勢力に抗して下段挟持板を押し下げて上段挟持板と下段挟持板との間の隙間を広げた状態で、その隙間に電極端子を挿入する。それから押圧を解除して、ばねの付勢力によって上段挟持板と下段挟持板との間の隙間を狭くして、電極端子を上段挟持板と下段挟持板とで挟持する。少なくとも下段挟持板に金属部分が形成されており、挟持された電極端子は金属部分に電気的に接続される。
【０００５】
特許文献５には、平面形状の固定ベース部の上に、接続部をそれぞれ有する１対のダンピング材が配置され、電池の電極端子を挟み込むように固定ベース部を折り曲げて１対のダンピング材を対向させ、両ダンピング材が上下から電極端子に接する構成の組電池が開示されている。
【０００６】
特許文献６には、電極端子の上下に位置する移動規制部材によって電極端子を挟持した電池モジュールが開示されている。この電池モジュールでは、電極端子は、移動規制部材とは別に設けられたバスバーと、ネジ止めや溶着によって電気的に接続される。
【先行技術文献】
【特許文献】
【０００７】
【特許文献１】特開２０００−５８１３５号公報
【特許文献２】特開２００９−３００１９３号公報
【特許文献３】特開２０１１−６０８１７号公報
【特許文献４】特開２０１１−６９７４４号公報
【特許文献５】特開２０１３−２４３０６１号公報
【特許文献６】特開２００４−５５３４８号公報
【発明の概要】
【発明が解決しようとする課題】
【０００８】
特許文献２〜４に開示されている構成では、上段挟持板と下段挟持板とそれらの間に挟まれる電極端子とが全て平行に位置している場合に、電極端子の良好な保持が可能である。しかし、それらを全て平行に保持することは困難である。仮に、図１０に示すように上段挟持板２４と下段挟持板２５とが互いに平行に位置し、それに対して電極端子２２が傾いた姿勢であると、挟持しようとする力が電極端子２２に均等ではなく偏って加わる。すなわち、上段挟持板２４と下段挟持板２５は電極端子２２に面接触ではなく点接触または線接触で接するため、電極端子２２の保持の信頼性が低い。そして、偏って加わる力によって電極素子２２に屈曲などの破損が生じる可能性がある。また、電池２０に加わる何らかの外力や振動、または長期間の使用によって、両挟持板２４，２５による保持力がさらに低下して、電気抵抗が増大して電池２０の性能が低下するおそれがあるとともに、両挟持板２４，２５においてアーク放電が発生する危険性がある。上段挟持板２４と下段挟持板２５によって電極端子２２が平行な姿勢になるように矯正するためには、電極端子２２に対して過大な力を加えなければならず、その結果、電極端子２２の変形や位置ずれを生じるおそれが大きくなる。
【０００９】
また、電極端子２２の挿入および挟持のために下段挟持板２５が上段挟持板２４に対して移動可能な構成であるため、上段挟持板２４と下段挟持板２５とを常に正確に互いに平行な姿勢に保つことは困難である。すなわち、下段挟持板２５は支柱等によって案内されるが、下段挟持板２５の移動を可能にするために必要な遊びの分だけ、下段挟持板２５が上段挟持板２４に対して平行な姿勢からずれる可能性がある。上段挟持板２４と下段挟持板２５が平行でないと、電極端子２２の上面と下面に偏った力が加わって、電極端子２２の変形や位置ずれを生じる可能性がある。これらの問題は、上段挟持板２４が下段挟持板２５に対して移動可能な構成であっても同様である。
【００１０】
このように、引用文献２〜４に記載の発明では、電極端子２２を、変形や位置ずれを生じることなく強固に保持することが困難であり、それに伴って電気抵抗の増大による電池２０の性能の低下が生じる可能性がある。
【００１１】
特許文献５に記載の発明では、ダンピング材によって、組電池の外部から印加される振動が薄型電池に伝わることを防いでいる。しかし、特許文献５では、上段挟持板と下段挟持板と電極端子とを全て平行に保持することについては考慮していないため、電極端子の電気的な接続と機械的な固定の信頼性が十分高いとは言えない。そして、振動防止のために設けられるダンピング材は、電極端子の上方と下方にそれぞれ必ず設けなければならない。
【００１２】
特許文献６に記載の発明では、弾性材料からなる移動規制部材によって電極端子を保持するとともに、ネジ止めや溶着によって電気的かつ機械的な接続を行っている。この構成によると保持の確実性は高いが、構成が複雑で組立作業が非常に煩雑であり、不良発生時等の分解や再組立が困難である。
【００１３】
そこで本発明の目的は、電極端子の電気的な接続と機械的な固定の信頼性が高く、組立作業が比較的簡単である、電池の電極端子の固定機構およびそれを含む電池パックと、電極端子を固定する方法とを提供することにある。
【課題を解決するための手段】
【００１４】
本発明の電池の電極端子の固定機構は、下側当接部と、下側当接部に対向するように設けられた上側当接部と、を有し、上側当接部と下側当接部の少なくとも一方には、電極端子と電気的に接続される接続部が設けられており、下側当接部は弾性部材によって支持されているか、または、下側当接部の少なくとも上側当接部に対向する表面が弾性材料によって形成され、弾性部材または弾性材料が弾性変形した状態で電極端子を固定する。
【００１５】
本発明の電池パックは、正極と負極とがセパレータを介して重ね合わされて構成された電池要素、電池要素を収容する外装ケース、および、一端が正極または負極に接続され他端が外装ケースの外側に延出している電極端子を有する電池と、前述した構成の固定機構と、を有し、電池の電極端子は、上側当接部と下側当接部とによって挟持されるとともに接続部に接触して電気的に接続されている。
【００１６】
本発明の、下側当接部と、下側当接部に対向する上側当接部とによって、電池の電極端子を固定する方法は、下側当接部の上側当接部に対向する表面上に電極端子を配置するステップと、上側当接部を電極端子に当接させ、電極端子を下側当接部に押しつけるステップと、を含み、下側当接部は、弾性部材によって姿勢変化可能に支持されているか、または、少なくとも上側当接部に対向する表面が弾性材料によって形成されており、電極端子を下側当接部に押しつけるステップで、上側当接部と下側当接部の少なくとも一方に設けられた接続部に電極端子を電気的に接続させるとともに、弾性部材または弾性材料を弾性変形させて、下側当接部の、少なくとも上側当接部に対向する表面を、上側当接部から電極端子を介して加える押圧力に応じて姿勢変化させて、上側当接部と下側当接部とによって電極端子を挟持する。
【発明の効果】
【００１７】
本発明によると、電極端子の電気的な接続と機械的な固定の信頼性が高く、組立作業が比較的簡単である、電池の電極端子の固定機構およびそれを含む電池パックと、電極端子を固定する方法とを提供することができる。
【図面の簡単な説明】
【００１８】
【図１】本発明の電極端子の固定機構を含む検査装置の概略斜視図である。
【図２】図１に示す電極端子の固定機構の要部を示す側面図である。
【図３】関連技術の電極端子の固定機構の要部を示す側面図である。
【図４】図１に示す電極端子の固定機構の変形例の要部を示す側面図である。
【図５】図１に示す電極端子の固定機構の他の変形例の要部を示す側面図である。
【図６】図１に示す電極端子の固定機構のさらに他の変形例の要部を示す概略平面図である。
【図７】本発明の電極端子の固定機構を含む電池パックの分解斜視図および要部断面図である。
【図８】図７に示す電池パックの変形例の要部断面図である。
【図９】関連技術の電極端子の固定機構を含む検査装置の概略斜視図である。
【図１０】関連技術の電極端子の固定機構の要部を示す側面図である。
【発明を実施するための形態】
【００１９】
以下、本発明の実施の形態について、図面を参照して説明する。
図１は、本発明の第１の実施形態の、電池の電極端子の固定機構１を含む検査装置を示している。この固定機構１は、基板２と、基板２上に設けられた下側当接部３と、下側当接部３に対向するように設けられている上側当接部４とを有している。上側当接部４は回転体５に取り付けられ、回転体５には、回転体５を回転させるための操作部６が取り付けられている。従って、手動や図示しない駆動手段等で操作部６を操作することによって、上側当接部４を下側当接部３に向かって押し下げることができる。上側当接部４には、下側当接部３に対向する表面に、金属箔等からなる接続部４ａが設けられている。接続部４ａは配線ケーブル１１を介して外部回路に接続されている。下側当接部３は、弾性部材、例えばゴムなどからなるクッション材７を介して基板２上に配置されている。
【００２０】
本実施形態では、電池８の１対の電極端子９の電気的な接続と機械的な固定とをそれぞれ行うために、２つの下側当接部３が並べて配置され、それに対向する２つの上側当接部４と回転体５および操作部６が配置されている。
【００２１】
この固定機構１による電極端子９の固定方法について説明する。
まず、図１，２（ａ）に示すように、上側当接部４と下側当接部３の間に隙間を空けておく。そこで、電池８を基板２上に載置し、電池８の電極端子９を上側当接部４と下側当接部３の間の隙間に挿入する。そこで、操作部６を操作して回転体５を回転させ、上側当接部４を下側当接部３に向かって押し下げる。それにより、上側当接部４は電極端子９に当接し、電極端子９を下側当接部３に押しつける。本実施形態ではクッション材７が弾性変形するため、図２（ｂ）に示すように、下側当接部３は、上側当接部４から電極端子９を介して加えられる押圧力に応じて姿勢変化する。
【００２２】
この点について説明すると、図２（ａ）に示すように、回転半径の違いによって、上側当接部４には、下側当接部３までの距離が短い部分（回転半径の小さい部分）と、下側当接部３までの距離が長い部分（回転半径の大きい部分）とが存在する。
仮に、下側当接部３の姿勢が変化しないと、図３に示すように、上側当接部４が電極端子９および下側当接部３に対して偏って当接し、場合によっては、上側当接部４に、電極端子９および下側当接部３に当接する部分と、当接しない部分とが存在する。その結果、電極端子９の挟持や電気的接続の信頼性が低くなる。より大きな力で上側当接部４が電極端子９を下側当接部３に押しつけるようにすると、上側当接部４に電極端子９および下側当接部３に当接しない部分が生じる可能性は小さくなるが、電極端子９が過剰に屈曲させられて破損する可能性がある。
【００２３】
それに対し、本実施形態では、下側当接部３がクッション材７によって支持されているため、上側当接部４が電極端子９を下側当接部３に押しつけると、クッション材７が弾性変形して、下側当接部３が、上側当接部４に合わせて姿勢を変化させる。具体的には、図２（ｂ）に示すように、電極端子９および下側当接部３の表面３ａが上側当接部４に平行になるように姿勢変化し、力の偏りが抑えられて均等化する。その結果、上側当接部４および下側当接部３と電極端子９が面接触し、その結果、密着性が良く挟持の信頼性が高くなる。さらに、上側当接部４に設けられた接続部４ａと電極端子９が面接触するため、電気的接続の信頼性が高い。また、上側当接部４から加わる力は、クッション材７が弾性変形することによってある程度吸収されるため、電極端子９に過剰な力が加わって破損する危険性が小さい。
【００２４】
このような構成であるため、図１に示す検査装置では、基板１上に電池８が配置されて電極端子９が上側当接部４および下側当接部３によって挟持されるとともに接続部４ａと電気的に接続される。そして、接続部４ａおよび配線ケーブル１１を介して電池８の電極端子９に接続されている外部回路によって、電池８の性能を調べるための電圧測定や電流測定等が精度良く行える。
【００２５】
図４（ａ），４（ｂ）は、図２に示す固定機構の変形例として、ゴム製のクッション材７の代わりに金属製のコイルばね１０を弾性部材として用いて下側当接部３を支持している構成を示している。この変形例でも、クッション材７を用いる場合と同様に、図４（ｂ）に示すように、上側当接部４が電極端子９を下側当接部３に押しつけると、コイルばね１０が弾性変形して、電極端子９および下側当接部３の表面３ａが上側当接部４に平行になるように姿勢変化する。それによって、上側当接部４および下側当接部３と電極端子９が面接触して密着性が良く、挟持の信頼性と電気的接続の信頼性が高くなる。また、コイルばね１０が力を吸収するため、電極端子９に過剰な力が加わって破損する危険性が小さい。図４（ａ），４（ｂ）に示す例では、上側当接部４は電池８に近い部分（図面右側）において、回転半径が大きいため下側当接部４に当接しにくくなる。従って、下側当接部４の電池に近い側が電池から遠い側よりも上方に位置するように傾くように弾性変形可能なコイルばね１０を用いると、上側当接部４が電極端子９および下側当接部３に比較的均等に当接しやすくなるので好ましい。
【００２６】
図５（ａ），５（ｂ）は、固定機構のさらに他の変形例として、下側当接部３自体が弾性材料によって形成されている構成を示している。この変形例では、図５（ｂ）に示すように、上側当接部４が電極端子９を下側当接部３に押しつけると、下側当接部３自体が弾性変形して、電極端子９と、下側当接部３の上側当接部に対向する表面３ａとが上側当接部４に平行になるように、姿勢変化する。それによって、上側当接部４および下側当接部３と電極端子９が面接触して密着性が良く、挟持の信頼性と電気的接続の信頼性が高くなる。また、弾性材料からなる下側当接部３自体の弾性変形によって力がある程度吸収されるため、電極端子９に過剰な力が加わって破損する危険性が小さい。この構成によると、下側当接部３を支持する部材（クッション材７やコイルばね１０等）を別途設ける必要がないため、構成が簡単で製造が容易である。
【００２７】
また、図示しないが、下側当接部３を基板２に固定する下側部材が剛体からなり、その上に位置して上側当接部４に対向する下側当接部３が弾性材料によって形成された構成にすることもできる。その場合、下側当接部３は、図２に示す構成とは実質的に上下反転した構成であるが、前述したのと同様な効果が得られる。
【００２８】
図６（ａ），６（ｂ）に示す変形例では、上側当接部４ではなく下側当接部３に、電極端子９と電気的に接続される接続部１２が設けられ、その接続部１２は複数（図６（ａ）の構成では２つ、図６（ｂ）の構成では４つ）の分割片１２ａによって構成されている。この構成によると、仮に、電極端子９に歪みが生じた場合であっても、各分割片１２ａ同士が多少独立して変位可能であるため、電極素子９と接続部１２の接続の信頼性が高い。この構成は、特に、下側当接部３自体が弾性材料から形成されている場合に、各分割片１２ａ同士が独立して変位しやすいため、効果的である。
【００２９】
図１に示す実施形態は、電池パックに収容される電池の固定機構や、電池の電気特性等を測定するための電池の固定機構に組み込むことができるが、本発明はそのような構成に限定されない。図７に示す実施形態は、電池パック（電池モジュール）１３に本発明を適用したものである。この電池パック１３は、図７（ａ）に分解して示すように、電池収容体１４に複数の電池８が平面的に並べて配置され、この電池収容体１４が上側カバー体１５と下側カバー体１６とに挟まれている。そして、図７（ａ）では省略しているが図７（ｂ）に示すように、上側カバー体１５に、接続部４ａを有する上側当接部４が、下側カバー体１６に、クッション材７によって支持されている下側当接部３が、それぞれ設けられている。接続部４ａは、図示しない配線パターンによって電池パック１３の外部に導通可能である。この構成では、電池パック１３の内部において、電極端子９の挟持と電気的接続の信頼性が高く、電極端子９が破損する危険性が小さい。
【００３０】
図８に示す変形例では、図７（ａ），７（ｂ）に示す構成に、電池８の外装ケース１７内の電池要素１８を安定的に保持する機能を追加している。本実施形態の電池パック１３を構成する電池８は、電極（正極および負極）とセパレータの積層体である電池要素１８が、図示しない電解液とともに外装ケース１７内に収納された構成である。外装ケース１７は可撓性フィルムからなり、電池要素１８を覆う可撓性フィルム同士が部分的に重なり合い、その重なりあった部分が互いに接合されることによって、電池要素１８および電解液を封入した外装ケース１７が完成している。電極端子９は、一端が外装ケース１７の内部で電池要素１８に接続され、他端が外装ケース１７の外部に延出している。図８に示す変形例では、下側当接部３とその下方のクッション材７が、可撓性フィルムの接合部１７ａに下方から当接し、かつ、可撓性フィルムを介して電池要素１８の側端部１８ａと隣接する位置まで、電池８側（図８右方）に延長している。
【００３１】
この構成によると、図７に示す構成と同様に、電池パック１３の内部において、電極端子９の挟持と電気的接続の信頼性が高く、電極端子９が破損する危険性が小さい。さらに、外装ケース１７内における電池要素１８の側方への位置ずれが、その電池要素の側端部１８ａに隣接する下側当接部３によって抑えられるという追加の効果が得られる。
なお、図８に示す構成に限定されず、上側当接部４のみ、または、上側当接部４と下側当接部３の両方が、可撓性フィルムの接合部１７ａに当接し、かつ、可撓性フィルムを介して電池要素１８の側端部１８ａと隣接する位置まで、電池８側に（図８右方に）延長している構成にすることもできる。
【００３２】
以上説明した通り、本発明によると、上側当接部４から電極端子９を介して加えられる力に応じて下側当接部３が姿勢変化可能であるため、上側当接部４の表面と電極端子９と下側当接部３の表面３ａとを全て平行に保持することができる。それにより、電極端子９の電気的な接続と機械的な固定のいずれも信頼性を高くすることができる。また、上側当接部４から加えられる力の一部は、下側当接部３を支持する部材（クッション材７やコイルばね１０など）または下側当接部３自体の弾性変形によって吸収されるので、電極端子９に過大な力が加わって損傷することが抑えられる。しかも、電極端子９の電気的接続および機械的固定のためにねじ止めや溶着は必要ないので、構成および組立作業が比較的簡単である。
【符号の説明】
【００３３】
１      電池の電極端子の固定機構
２      基板
３      下側当接部
４      上側当接部
４ａ    接続部
７      クッション材（弾性部材）
８      電池
９      電極端子
１０    コイルばね（弾性部材）
１２    接続部
１２ａ  分割片
１３    電池パック
１７    外装ケース
１７ａ  接合部
１８    電池要素
１８ａ  側端部
【図１】
2018186097.tif 000003
【図２】
2018186097.tif 000004
【図３】
2018186097.tif 000005
【図４】
2018186097.tif 000006
【図５】
2018186097.tif 000007
【図６】
2018186097.tif 000008
【図７】
2018186097.tif 000009
【図８】
2018186097.tif 000010
【図９】
2018186097.tif 000011
【図１０】
2018186097.tif 000012